(57)【要約】【課題】空間認識能力の検査を的確に行うことができる高次脳機能検査用の三次元表示装置、高次脳機能検査用の三次元表示方法、および高次脳機能検査用の三次元表示プログラムを提供することである。【解決手段】高次脳機能検査用の三次元表示装置１００は、被験者履歴２１０、ＴＭＴ履歴および／またはＢＩＴ履歴２３０および高次脳機能検査プログラム情報を記録する記録部２００と、三次元表示部３００と、三次元表示部３００の表示を制御する制御部５００と、を含む。制御部５００は、記録部２００に記録された少なくとも被験者の被験者履歴２１０、ＴＭＴ履歴および／またはＢＩＴ履歴２３０のいずれかまたは両方に基づいて、高次脳機能検査プログラム情報を選定し、三次元表示部３００に高次脳機能検査の表示を行うものである。【選択図】図１
2019010441.tif 000002
【特許請求の範囲】
【請求項１】
被験者のカルテ履歴情報、高次脳機能検査の検査履歴情報および高次脳機能検査プログラム情報を記録する記録部と、
三次元表示部と、
前記三次元表示部および前記記録部を制御する制御部と、を含み、
前記制御部は、前記記録部に記録された少なくとも被験者のカルテ履歴情報および高次脳機能検査の検査履歴情報のいずれかまたは両方に基づいて、高次脳機能検査プログラム情報を選定し、前記三次元表示部に前記高次脳機能検査の表示を行う、高次脳機能検査用の三次元表示装置。
【請求項２】
前記制御部は、前記三次元表示部に表示を行った後、前記高次脳機能検査の結果を前記記録部に記録する、請求項１に記載の高次脳機能検査用の三次元表示装置。
【請求項３】
前記高次脳機能検査の視線履歴情報をさらに含み、
前記記録部は、前記視線履歴情報を記録し、
前記制御部は、前記視線履歴情報に基づいて、前記高次脳機能検査プログラム情報を選定し、前記三次元表示部に前記高次脳機能検査の表示を行う、請求項１または請求項２に記載の高次脳機能検査用の三次元表示装置。
【請求項４】
選定された前記高次脳機能検査プログラム情報および前記被験者のカルテ履歴情報および前記高次脳機能検査の検査履歴情報を表示することができる報知部をさらに含む、請求項１から請求項３のいずれか１項に記載の高次脳機能検査用の三次元表示装置。
【請求項５】
前記高次脳機能検査の高次脳機能検査プログラム情報は、ＴＭＴ（Ｔｒａｉｌ  Ｍａｋｉｎｇ  Ｔｅｓｔ（トレイルメイキングテスト））のプログラム情報、および／または、ＢＩＴ（Ｂｅｈａｖｉｏｕｒａｌ  ｉｎａｔｔｅｎｔｉｏｎ  ｔｅｓｔ）のプログラム情報を含む、請求項１から請求項３のいずれか１項に記載の高次脳機能検査用の三次元表示装置。
【請求項６】
被験者が高次脳機能検査の検査を行った場合の動画情報を含む、請求項１から請求項５のいずれか１項に記載の高次脳機能検査用の三次元表示装置。
【請求項７】
前記高次脳機能検査の検査履歴情報は、被験者の試験結果および誤回答情報を含む、請求項１から請求項６のいずれか１項に記載の高次脳機能検査用の三次元表示装置。
【請求項８】
前記被験者のカルテ履歴情報は、ＭＲＩ（Ｍａｇｎｅｔｉｃ  Ｒｅｓｏｎａｎｃｅ  Ｉｍａｇｉｎｇ）検査結果、またはＣＴ（Ｃｏｍｐｕｔｅｄ  Ｔｏｍｏｇｒａｐｈｙ）検査結果とリンク付けされている、請求項１から請求項７のいずれか１項に記載の高次脳機能検査用の三次元表示装置。
【請求項９】
前記記録部は、クラウドサーバ、またはハードディスクドライブ記録媒体からなる請求項１から請求項８のいずれか１項に記載の高次脳機能検査用の三次元表示装置。
【請求項１０】
前記三次元表示部は、ヘッドマウントディスプレイ表示装置からなる、請求項１から請求項９のいずれか１項に記載の高次脳機能検査用の三次元表示装置。
【請求項１１】
被験者のカルテ履歴情報、高次脳機能検査の検査履歴情報および高次脳機能検査プログラム情報を記録する記録工程と、
三次元表示工程と、
前記三次元表示部の表示を制御する制御工程と、を含み、
前記制御工程は、前記記録された少なくとも被験者のカルテ履歴情報および高次脳機能検査の検査履歴情報のいずれかまたは両方に基づいて、高次脳機能検査プログラム情報を選定する選定工程と、
前記選定工程により選定された前記高次脳機能検査を前記三次元表示部に表示する表示工程を含む、高次脳機能検査用の三次元表示方法。
【請求項１２】
前記制御工程は、前記表示工程の後、前記高次脳機能検査の結果を前記記録部に記録するフィードバック記録工程を含む、請求項１１に記載の高次脳機能検査用の三次元表示方法。
【請求項１３】
被験者のカルテ履歴情報、高次脳機能検査の検査履歴情報および高次脳機能検査プログラム情報を記録する記録処理と、
三次元表示処理と、
前記三次元表示部の表示を制御する制御処理と、を含み、
前記制御処理は、前記記録された少なくとも被験者のカルテ履歴情報および高次脳機能検査の検査履歴情報のいずれかまたは両方に基づいて、高次脳機能検査プログラム情報を選定する選定処理と、
前記選定処理により選定された前記高次脳機能検査を前記三次元表示部に表示する表示処理を含む、高次脳機能検査用の三次元表示プログラム。
【請求項１４】
前記制御処理は、前記表示処理の後、前記高次脳機能検査の結果を前記記録部に記録するフィードバック記録処理を含む、請求項１３に記載の高次脳機能検査用の三次元表示プログラム。
【発明の詳細な説明】
【技術分野】
【０００１】
本発明は、脳卒中等の病後のリハビリテーションに用いられる高次脳機能検査用の三次元表示装置、高次脳機能検査用の三次元表示方法、および高次脳機能検査用の三次元表示プログラムに関する。
【背景技術】
【０００２】
例えば、特許文献１（特開２０１５−２１３５３９号公報）には、運転適性を確実に診断する運転適性診断装置について開示されている。
【０００３】
特許文献１記載の運転適性診断装置においては、被験者が視認するモニタと、被験者が操作するスイッチと、所定のプログラムを記憶する記憶手段と、前記プログラムを実行する制御手段と、を備えており、前記制御手段が前記プログラムの実行により実現する手段として、視覚により判別可能な複数種類の移動物体と、該移動物体が通過する境界線とを、前記モニタに表示する表示手段と、前記複数種類の移動物体の中から被験者が前記スイッチにより選択すべき選択対象の移動物体を設定する設定手段と、前記モニタに同時に表示される複数の移動物体の動きを制御する動き制御手段と、前記境界線に差し掛かった移動物体の種類と、被験者がスイッチを押下した移動物体の種類とが、一致しているかどうかを判断する第一判断手段と、前記第一判断手段において、前記選択対象の移動物体と相違すると判断した場合は不正解と判定する第一判定手段と被験者がスイッチを押下した時、移動物体が境界線上にあるかを判断する第二判断手段と、前記第二判断手段において、移動物体が境界線上にあると判断した場合は正解と判定し、境界線にないと判断した場合は不正解と判定するとともに、前記不正解と判定した場合において、移動物体が境界線に達していない場合は第一不正解と判定し、移動物体が境界線を過ぎている場合は第二不正解と判定する第二判定手段と、前記第二判断手段において正解と判定された場合、前記スイッチ押下時の移動物体に対する境界線の位置が、移動物体の前方領域である場合は中間の反応として、移動物体の後方領域である場合は遅い反応として判定する第三判定手段と、前記第一判定手段、前記第二判定手段、前記第三判定手段の判定に基づく検査結果と、前記記憶手段に格納された既存の検査結果と交通事故との相関を示すデータとを照合して、被験者の交通事故の可能性を診断する診断手段とを有する、ものである。
【０００４】
特許文献２（特開２０００−１２６１４８号公報）には、個々の（単一試行における）脳波データから特徴的なパターンを抽出して脳波データの加算平均を得る作業などを自動化する脳波データ処理装置について開示されている。
【０００５】
特許文献２記載の脳波データ処理装置においては、単一試行の際に得られた個々の脳波データから特徴的なパターンを検出する脳波データ処理装置において、デジタル脳波データを格納する脳波データ格納手段と、前記脳波データ格納手段から読み出されたデジタル脳波データに対してウエーブレット変換を施してウエーブレット係数を求めるウエーブレット変換手段と、前記ウエーブレット変換でのスケール・パラメータ及びシフト・パラメータの関数値として、前記ウエーブレット係数を出力するウエーブレット係数曲面出力手段と、ウエーブレット係数ウインドーを設定するウエーブレット係数ウインドー・パラメータ設定手段と、前記スケール・パラメータ、前記シフト・パラメータ及び前記ウエーブレット係数とによって規定されるウエーブレット係数曲面から、前記ウエーブレット係数ウインドーに基づいて、所定の領域を抽出するウエーブレット係数ウインドー手段と、個々のデジタル脳波データごとに、前記ウエーブレット係数ウインドー手段によって前記ウエーブレット係数曲面から前記所定の領域が抽出されたかどうかを判別する脳波データ判別手段と、を有するものである。
【先行技術文献】
【特許文献】
【０００６】
【特許文献１】特開２０１５−２１３５３９号公報
【特許文献２】特開２０００−１２６１４８号公報
【非特許文献３】注意機能障害の認知神経心理学的研究“作業療法学分野での活用をめざして  京都女子大学  博士（教育学）学位請求論文  鈴木考治；“（1498810773783_0.pdf）
【非特許文献４】“反応時間課題を用いた注意障害に対する評価方法の開発と臨床応用の可能性について”札幌医科大学大学院保険医療学研究科博士課程前期  理学療法学・作業療法学専攻間隔統合障害分野  金谷  匡紘；（1498810773783_1.pdf）
【発明の概要】
【０００７】
特許文献１および２には、一般的な机上の検査について開示されている。また、非特許文献３および４には、パーソナルコンピュータを用いて検査を行うことについて開示されている。
【０００８】
しかしながら、机上または平面のパーソナルコンピュータにより、高次脳機能検査を行うことは、空間認識能力の評価としては、最適とは言い難い。また、反復して高次脳機能検査を行う場合には、人間の学習能力も検査結果の阻害要因となり得て、好ましくない。
【０００９】
本発明の目的は、空間認識能力の検査を的確に行うことができる高次脳機能検査用の三次元表示装置、高次脳機能検査用の三次元表示方法、および高次脳機能検査用の三次元表示プログラムを提供することである。
【課題を解決するための手段】
【００１０】
（１）
一局面に従う高次脳機能検査用の三次元表示装置は、被験者のカルテ履歴情報、高次脳機能検査の検査履歴情報および高次脳機能検査プログラム情報を記録する記録部と、三次元表示部と、三次元表示部の表示を制御する制御部と、を含み、制御部は、記録部に記録された少なくとも被験者のカルテ履歴情報および高次脳機能検査の検査履歴情報のいずれかまたは両方に基づいて、高次脳機能検査プログラム情報を選定し、三次元表示部に高次脳機能検査の表示を行うものである。
【００１１】
この場合、制御部により被験者のカルテ履歴情報および高次脳機能検査の検査履歴情報のいずれかまたは両方に基づいて、高次脳機能検査プログラム情報が選定される。すなわち、被験者の病状に最適な高次脳機能検査プログラム情報を選定することができる。
また、高次脳機能検査の検査履歴情報に基づく場合には、他の被験者の高次脳機能検査の検査履歴情報を用いることができるので、制御部は、多くの他の被験者のうち、リハビリテーションにより病状が回復した高次脳機能検査プログラム情報を選定させることができる。したがって、被験者にとってより良い高次脳機能検査プログラム情報を三次元表示部に表示させることができる。
さらに、三次元表示部に表示させることで、二次元の紙媒体の場合と比較して、空間認識能力を高めることができる。
また、紙媒体の場合と比較して、反復検査において、被験者の学習効果が表れにくいため、本来の検査結果を得ることができないという問題が生じにくい。
また、三次元表示部に表示させることで、机上の状態と異なり、身体活動を伴う日常生活場面における能力を正確に試験結果に反映することができる。
また、複数の被験者を同時に検査することができるため、医師または検査技師の数が少ない施設においても、複数の被験者の検査を効率的に行うことができる。
【００１２】
（２）
第２の発明にかかる高次脳機能検査用の三次元表示装置は、一局面に従う高次脳機能検査用の三次元表示装置において、制御部は、三次元表示部に表示を行った後、高次脳機能検査の結果を記録部に記録してもよい。
【００１３】
この場合、制御部は、三次元表示部に表示を行った後、高次脳機能検査の結果を記録部に記録することができる。その結果、記録部の情報をフィードバック処理することができ、被験者の状態に応じて、リハビリテーションにより病状がより回復した高次脳機能検査プログラム情報を選定させることができる。
【００１４】
（３）
第３の発明にかかる高次脳機能検査用の三次元表示装置は、一局面または第２の発明にかかる高次脳機能検査用の三次元表示装置において、高次脳機能検査の視線履歴情報をさらに含み、記録部は、視線履歴情報を記録し、制御部は、視線履歴情報に基づいて、高次脳機能検査プログラム情報を選定し、三次元表示部に高次脳機能検査の表示を行ってもよい。
【００１５】
この場合、制御部は、視線履歴情報を記録部に記録させる。その結果、被験者の高次脳機能検査における視線の履歴を確認することができる。
具体的に、高次脳機能検査においては、視野角１８０度のうち、右半分または左半分、上半分または下半分等の特定の範囲のみ認識する場合がある。その場合において、視線の履歴を残すことで被験者の状態を認識することができる。
したがって、視線履歴情報を含めた高次脳機能検査プログラム情報を選定することができるので、被験者の病状が、さらに回復することを望むことができる。
【００１６】
（４）
第４の発明にかかる高次脳機能検査用の三次元表示装置は、一局面から第３の発明のいずれかにかかる高次脳機能検査用の三次元表示装置において、選定された高次脳機能検査プログラム情報および被験者のカルテ履歴情報および高次脳機能検査の検査履歴情報を表示することができる報知部をさらに含んでもよい。
【００１７】
この場合、報知部により選定された高次脳機能検査プログラム情報および被験者のカルテ履歴情報および高次脳機能検査の検査履歴情報が表示されるので、医者または医療従事者が、被験者の検査内容、検査結果、検査状況を確認することができる。
【００１８】
（５）
第５の発明にかかる高次脳機能検査用の三次元表示装置は、一局面から第４の発明のいずれかにかかる高次脳機能検査用の三次元表示装置において、高次脳機能検査の高次脳機能検査プログラム情報は、ＴＭＴ（Ｔｒａｉｌ  Ｍａｋｉｎｇ  Ｔｅｓｔ（トレイルメイキングテスト））のプログラム情報、および／または、ＢＩＴ（Ｂｅｈａｖｉｏｕｒａｌ  ｉｎａｔｔｅｎｔｉｏｎ  ｔｅｓｔ）のプログラム情報を含んでもよい。
【００１９】
この場合、高次脳機能検査プログラム情報は、ＴＭＴのプログラム情報、および／または、ＢＩＴのプログラム情報を含むので、多種のＴＭＴのプログラム情報、および／または、多種のＢＩＴのプログラム情報を有するとともに、確実に高次脳機能検査の検査を実施することができる。
【００２０】
（６）
第６の発明にかかる高次脳機能検査用の三次元表示装置は、一局面から第５の発明のいずれかにかかる高次脳機能検査用の三次元表示装置において、被験者が高次脳機能検査の検査を行った場合の動画情報を含んでもよい。
【００２１】
この場合、医者または医療従事者が、動画情報を確認し、被験者の検査状況、回復状況等を容易に確認することができる。また、ＡＩ技術を用いて、動画情報が類似している過去に病状が回復した被験者の動画情報と比較することもできる。
【００２２】
（７）
第７の発明にかかる高次脳機能検査用の三次元表示装置は、一局面から第６の発明のいずれかにかかる高次脳機能検査用の三次元表示装置において、高次脳機能検査の検査履歴情報は、被験者の試験結果および誤回答情報を含んでもよい。
【００２３】
この場合、医師または医療従事者が、動画情報を確認し、被験者の検査状況、回復状況等を容易に確認することができる。特に被験者の試験結果を的確に計算するので、医療従事者の手間を省くことができる。また、誤回答情報も有するので、医師または医療従事者が的確に被験者の状況を確認することができる。
【００２４】
（８）
第８の発明にかかる高次脳機能検査用の三次元表示装置は、一局面から第７の発明のいずれかにかかる高次脳機能検査用の三次元表示装置において、被験者のカルテ履歴情報は、ＭＲＩ（Ｍａｇｎｅｔｉｃ  Ｒｅｓｏｎａｎｃｅ  Ｉｍａｇｉｎｇ）検査結果、またはＣＴ（Ｃｏｍｐｕｔｅｄ  Ｔｏｍｏｇｒａｐｈｙ）検査結果とリンク付けされていてもよい。
【００２５】
この場合、被験者のカルテ履歴情報は、ＭＲＩ検査結果およびＣＴ検査結果とリンク付けされているので、ＭＲＩ検査結果およびＣＴ検査結果に応じた高次脳機能検査を実施することができる。これにより、被験者の脳機能検査をより正確に行うことができる。
【００２６】
（９）
第９の発明にかかる高次脳機能検査用の三次元表示装置は、一局面から第８の発明のいずれかにかかる高次脳機能検査用の三次元表示装置において、記録部は、クラウドサーバ、またはハードディスクドライブ記録媒体からなってもよい。
【００２７】
この場合、記録部がクラウドサーバからなる場合には、高次脳機能検査を広範囲にわたって実施することができる。特に、国内に限らず、世界中の高次脳機能検査の結果を集めて記録することができる。
また、ハードディスクドライブ記録媒体からなる場合には、院内におけるデータを容易に探すことができる。また、検査結果を複数の施設で共有することができるため、医師が少ない又は不在の施設において行った検査の結果を被験者の診断および治療に利用することができる。
【００２８】
（１０）
第１０の発明にかかる高次脳機能検査用の三次元表示装置は、一局面から第９の発明のいずれかにかかる高次脳機能検査用の三次元表示装置において、三次元表示部は、ヘッドマウントディスプレイ表示装置からなってもよい。
【００２９】
この場合、三次元表示部は、ヘッドマウントディスプレイ表示装置からなるので、被験者は、容易に三次元表示に没頭することができる。その結果、的確な高次脳機能検査を実施することができる。
【００３０】
（１１）
他の局面にかかる高次脳機能検査用の三次元表示方法は、被験者のカルテ履歴情報、高次脳機能検査の検査履歴情報および高次脳機能検査プログラム情報を記録する記録工程と、三次元表示工程と、三次元表示工程で表示を制御する制御工程と、を含み、制御工程は、記録された少なくとも被験者のカルテ履歴情報および高次脳機能検査の検査履歴情報のいずれかまたは両方に基づいて、高次脳機能検査プログラム情報を選定する選定工程と、選定工程により選定された高次脳機能検査を三次元表示工程で表示する表示工程を含むものである。
【００３１】
この場合、制御工程により被験者のカルテ履歴情報および高次脳機能検査の検査履歴情報のいずれかまたは両方に基づいて、高次脳機能検査プログラム情報が選定される。すなわち、被験者の病状に最適な高次脳機能検査プログラム情報を選定することができる。
また、高次脳機能検査の検査履歴情報に基づく場合には、他の被験者の高次脳機能検査の検査履歴情報を用いることができるので、制御工程においては、多くの他の被験者のうち、リハビリテーションにより病状が回復した高次脳機能検査プログラム情報を選定させることができる。したがって、被験者にとってより良い高次脳機能検査プログラム情報を三次元表示部に表示させることができる。
さらに、三次元表示部に表示させることで、二次元の紙媒体の場合と比較して、空間認識能力を高めることができる。
また、紙媒体の場合には、反復検査において、被験者の学習効果が表れるため、本来の検査結果を得ることができないという問題が生じる。
また、三次元表示工程で表示させることで、机上の状態と異なり、身体活動を伴う日常生活場面における能力を正確に試験結果に反映することができる。
【００３２】
（１２）
第１２の発明にかかる高次脳機能検査用の三次元表示方法は、他の局面にかかる高次脳機能検査用の三次元表示方法において、制御工程は、表示工程の後、高次脳機能検査の結果を記録工程で記録するフィードバック記録工程を含んでもよい。
【００３３】
この場合、制御部は、三次元表示工程で表示を行った後、高次脳機能検査の結果を記録工程で記録することができる。その結果、記録工程における情報をフィードバック処理することができ、被験者の状態に応じて、リハビリテーションにより病状がより回復した高次脳機能検査プログラム情報を選定させることができる。
【００３４】
（１３）
さらに他の局面に従う高次脳機能検査用の三次元表示プログラムは、被験者のカルテ履歴情報、高次脳機能検査の検査履歴情報および高次脳機能検査プログラム情報を記録する記録処理と、三次元表示処理と、三次元表示処理の表示を制御する制御処理と、を含み、制御処理は、記録された少なくとも被験者のカルテ履歴情報および高次脳機能検査の検査履歴情報のいずれかまたは両方に基づいて、高次脳機能検査プログラム情報を選定する選定処理と、選定処理により選定された高次脳機能検査を三次元表示処理で表示する表示処理を含むものである。
【００３５】
この場合、制御処理により被験者のカルテ履歴情報および高次脳機能検査の検査履歴情報のいずれかまたは両方に基づいて、高次脳機能検査プログラム情報が選定される。すなわち、被験者の病状に最適な高次脳機能検査プログラム情報を選定することができる。
また、高次脳機能検査の検査履歴情報に基づく場合には、他の被験者の高次脳機能検査の検査履歴情報を用いることができるので、制御処理は、多くの他の被験者のうち、リハビリテーションにより病状が回復した高次脳機能検査プログラム情報を選定させることができる。したがって、被験者にとってより良い高次脳機能検査プログラム情報を三次元表示処理で表示させることができる。
さらに、三次元表示処理に表示させることで、二次元の紙媒体の場合と比較して、空間認識能力を高めることができる。
また、紙媒体の場合には、反復検査において、被験者の学習効果が表れるため、本来の検査結果を得ることができないという問題が生じる。
また、三次元表示処理で表示させることで、机上の状態と異なり、身体活動を伴う日常生活場面における能力を正確に試験結果に反映することができる。
【００３６】
（１４）
第１４の発明にかかる高次脳機能検査用の三次元表示プログラムは、さらに他の局面に従う高次脳機能検査用の三次元表示プログラムにおいて、制御処理は、表示処理の後、高次脳機能検査の結果を記録処理に記録するフィードバック記録処理を含んでもよい。
【００３７】
この場合、制御処理は、三次元表示処理で表示を行った後、高次脳機能検査の結果を記録処理することができる。その結果、記録処理の情報をフィードバック処理することができ、被験者の状態に応じて、リハビリテーションにより病状がより回復した高次脳機能検査プログラム情報を選定処理により選定させることができる。
【図面の簡単な説明】
【００３８】
【図１】本実施の形態にかかる高次脳機能検査の三次元表示装置の一例を示す模式図である。
【図２】制御部の処理の一例を示すフローチャートである。
【図３】三次元表示制御部の処理の一例を示すフローチャートである。
【図４】映像部に表示されたＴＭＴ検査の一例を示す模式図である。
【図５】制御部の報知部の表示の一例を示す模式図である。
【図６】制御部の報知部の表示の一例を示す模式図である。
【図７】本実施の形態にかかる高次脳機能検査の三次元表示装置の他の例を示す模式図である。
【図８】三次元表示制御部の処理の一例を示すフローチャートである。
【発明を実施するための形態】
【００３９】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００４０】
（一実施の形態）
まず、図１は本実施の形態にかかる高次脳機能検査の三次元表示装置１００の一例を示す模式図である。
【００４１】
（高次脳機能検査の三次元表示装置の概略）
図１に示す高次脳機能検査の三次元表示装置１００は、記録部２００、三次元表示部３００、報知部４００および制御部５００を含む。
【００４２】
（記録部）
記録部２００は、少なくとも複数の被験者履歴２１０、複数のＣＴスキャンデータまたは／およびＭＲＩデータ２２０、複数のＴＭＴ履歴および／またはＢＩＴ履歴２３０、および複数の視線履歴２４０を記録する。また、記録部２００は、クラウドサーバからなる。
【００４３】
なお、記録部２００は、クラウドサーバからなることとしているが、これに限定されず、ハードディスクドライブ記録媒体または、ハードディスクドライブ記録媒体およびクラウドサーバの両方で構成されていてもよい。
【００４４】
また、複数の被験者履歴２１０には、被験者のカルテ情報および病状回復情報が含まれる。病状回復情報には、病状の回復度合い、病状の回復時間等が含まれる。
複数のＣＴスキャンデータまたは／およびＭＲＩデータ２２０には、ＣＴスキャン検査の結果およびＭＲＩ検査の結果が含まれる。
さらに、複数のＴＭＴ履歴および／またはＢＩＴ履歴２３０には、ＴＭＴ検査の結果またはＢＩＴ検査の結果が含まれる。また、複数の視線履歴２４０には、ＴＭＴ検査の被験者の視線の動き、ＢＩＴ検査の被験者の視線の動きが含まれる。
【００４５】
なお、本実施の形態においては、複数の被験者履歴２１０を軸として、複数のＣＴスキャンデータまたは／およびＭＲＩデータ２２０、複数のＴＭＴ履歴および／またはＢＩＴ履歴２３０、および複数の視線履歴２４０が、被験者毎にリンク付けされる。
【００４６】
（三次元表示部）
三次元表示部３００は、ヘッドマウントディスプレイからなる。したがって、三次元表示部３００は、主に、三次元表示制御部３１０、映像部３２０、トラッキングカメラ３３０、視線検出部３４０、三次元表示記録部３５０を含む。
三次元表示記録部３５０には、後述する高次脳機能検査プログラム（ＴＭＴ検査またはＢＩＴ検査）の履歴情報を仮記録するとともに、高次脳機能検査プログラム（ＴＭＴ検査またはＢＩＴ検査）を稼働可能にするソフトウェアプログラムが記録されている。
映像部３２０は、高次脳機能検査プログラムが実行された場合に、当該プログラムに応じた表示が行われる。また、トラッキングカメラ３３０は、映像部３２０を確認した被験者の動作を認識することができる。トラッキングカメラ３３０により検出された像が、映像部３２０に表示される（図４参照）。
【００４７】
なお、本実施の形態においては、ヘッドマウントディスプレイからなることとしているが、これに限定されず、ホロレンズ（ＨＯＬＯＬＥＮＳ）アナグリフ式、偏光式、液晶シャッター式、空間分割表示方式、２視点設定方式、多視点設定方式、光線空間再現方式、インテグラル方式等の任意の方式からなってもよい。
また、トラッキングカメラ３３０を用いることとしているが、これに限定されず、他のアイトラッキング、ヘッドトラッキング等の任意の方式からなってもよい。
【００４８】
（報知部）
報知部４００は、液晶画面の表示装置からなる。すなわち、表示および音声を出力可能なものである。
【００４９】
（制御部５００）
図２は、制御部５００の処理の一例を示すフローチャートである。
図２に示すように、制御部５００は、被験者情報を取得する（ステップＳ１０１）。
ここで、制御部５００は、記録部２００に記録されている被験者情報である被験者履歴２１０を読み込む。
次に、制御部５００は、記録部２００に記録されている複数の高次脳機能検査のうちから、被験者に最適な高次脳機能検査プログラムを選定する（ステップＳ１０２）。
制御部５００は、三次元表示部３００に選定された高次脳機能検査プログラムを送信する（ステップＳ１０３）。
ここで、制御部５００は、選定された高次脳機能検査プログラムにおいて、被験者が過去に全く同一のプログラムを実施していた場合、同じ検査であっても中身が異なるように制御する。具体的には、後述する図４で示す検査を実施していた場合、数字の配置を変更させて検査を実施するよう制御する。
なお、上記の実施の形態においては、検査を主として説明しているが、当該検査には、被験者のトレーニングも含まれる。また、被験者のトレーニングの場合には、より数字の配置を大きく変更させてもよい。
【００５０】
次いで、制御部５００は、三次元表示部３００から高次脳機能検査の結果が送信されているか否かを判定する（ステップＳ１０４）。
三次元表示部３００から高次脳機能検査の結果が送信されていない場合（ステップＳ１０４のＮｏ）、制御部５００は、ステップＳ１０４の処理を繰り返す。
【００５１】
一方、三次元表示部３００から高次脳機能検査の結果が送信されている場合（ステップＳ１０４のＹｅｓ）、制御部５００は、高次脳機能検査の結果を受信する（ステップＳ１０５）。次に、制御部５００は、受信した高次脳機能検査の結果を記録部２００に記録する（ステップＳ１０６）。
最後に、制御部５００は、病状の回復度合い（正答率）を記録部２００に記録する。
【００５２】
（三次元表示部３００の三次元表示制御部３１０）
図３は、三次元表示制御部３１０の処理の一例を示すフローチャートである。
【００５３】
三次元表示制御部３１０は、制御部５００から送信された被験者に最適な高次脳機能検査プログラムを受信したか否かを判定する（ステップＳ２０１）。
高次脳機能検査プログラムが受信されていないと判定した場合（ステップＳ２０１のＮｏ）、三次元表示制御部３１０は、ステップＳ２０１の処理を繰り返す。
【００５４】
一方、高次脳機能検査プログラムが受信されたと判定した場合（ステップＳ２０１のＹｅｓ）、三次元表示制御部３１０は、高次脳機能検査プログラムを読み込み、検査を実行する（ステップＳ２０２）。
【００５５】
まず、三次元表示制御部３１０は、映像部３２０に高次脳機能検査プログラムを表示させる（ステップＳ２０３）。
次いで、三次元表示制御部３１０は、トラッキングカメラ３３０により被験者の動作を検出する（ステップＳ２０４）。
なお、本実施の形態においては、トラッキングカメラ３３０に限定されず、他の任意の入力装置、クリッカー等を用いてもよい。
三次元表示制御部３１０は、検出された動作に応じて、高次脳機能検査プログラムに従い、映像部３２０の表示を変化させる（ステップＳ２０５）。当該変化の詳細については後述する。
【００５６】
また、三次元表示制御部３１０は、視線検出部３４０により被験者の視線を検出する（ステップＳ２０６）。三次元表示制御部３１０は、検査結果および検出された視線の動作を三次元表示記録部３５０に記録させる（ステップＳ２０７）。
【００５７】
次に、三次元表示制御部３１０は、三次元表示記録部３５０に記録された高次脳機能検査の結果を制御部５００へ送信する（ステップＳ２０８）。
【００５８】
図４は、映像部３２０に表示されたＴＭＴ検査の一例を示す模式図である。
【００５９】
図４に示すように、映像部３２０には、例えば、左右の視野角１８０度にわたって、数字の「１」から「３０」が配置して表示される。また、映像部３２０には、被験者の手が表示される。ここで、映像部３２０が没入型の場合、手Ｈ１を表示し、映像部３２０が透過型の場合、手Ｈ１を表示させず、被験者の手を透過して認識できるようにしてもよい。
なお、本実施の形態にかかる映像部３２０の視野角は左右１８０度としているが、左右１０度以上９０度以下であってもよく、上下１０度以上９０度以下であってもよく、上下３度以上３０度以下であってもよい。
なお、本実施の形態にかかる高次脳機能検査の三次元表示装置１００においては、映像部３２０には、都度異なる配置の数字の「１」から「３０」が表示される。具体的には、三次元表示制御部２１０は、当該数字の自動配列を行う。
【００６０】
また、被験者は、手で数字の小さい値から順に大きい値へ押す動作を行う。その結果、トラッキングカメラ３３０により被験者の手が検知され、三次元表示制御部３１０から映像部３２０に、押された値が小さい値から順に大きい値に合致していれば、当該押された値が消去されるよう指示する。
【００６１】
図５および図６は、制御部５００の報知部４００の表示の一例を示す模式図である。
【００６２】
図５に示すように、報知部４００の表示は、三次元表示部３００と通信を行うためのＩＰアドレス設定、被験者表示、アプリ設定、テンプレート設定、実行モード設定、カラー設定、ヒント表示までの時間設定、表示範囲設定、制限時間設定等のプルタブが表示される。
その結果、医者または医療従事者は、三次元表示部３００の動作を設定することができ、さらに、検査内容を認識することができる。
また、図６に示すように、映像部３２０の表示をそのまま表示させるとともに、視線履歴ＥＹＥを表示させてもよい。その結果、医者または医療従事者は、被験者の高次脳機能検査の場合の視線の動きを容易に認識することができる。
【００６３】
なお、上記の実施の形態においては、リアルタイムにおいて映像部３２０の表示を報知部４００に表示させることとしているが、これに限定されず、記録部２００に記録し、所定の時間経過後に報知部４００に表示させてもよく、倍速、３倍速で表示させてもよい。
【００６４】
（他の実施の形態）
まず、図７は本実施の形態にかかる高次脳機能検査の三次元表示装置１００の他の例を示す模式図である。
【００６５】
図７に示す高次脳機能検査の三次元表示装置１００ａは、記録部２００、三次元表示部３００を含む。
本実施の形態においては、一実施の形態にかかる高次脳機能検査の三次元表示装置１００の制御部５００および三次元表示部３００の三次元表示制御部３１０の両者の処理動作を、三次元表示部３００の三次元表示制御部３１０が単独で処理するものである。
【００６６】
図８は、三次元表示制御部３１０の処理の一例を示すフローチャートである。
【００６７】
図８に示すように、三次元表示制御部３１０は、クラウドサーバからなる記録部２００と通信を行う（ステップＳ３０１）
ここで、三次元表示制御部３１０は、記録部２００に記録されている被験者情報である被験者履歴２１０を読み込む。
次に、三次元表示制御部３１０は、記録部２００に記録されている複数の高次脳機能検査のうちから、被験者に最適な高次脳機能検査プログラムを選定する（ステップＳ３０２）。三次元表示制御部３１０は、高次脳機能検査プログラムを読み込み、検査を実行する（ステップＳ３０３）。
【００６８】
三次元表示制御部３１０は、映像部３２０に高次脳機能検査プログラムを表示させる（ステップＳ３０４）。
次いで、三次元表示制御部３１０は、トラッキングカメラ３３０により被験者の動作を検出する（ステップＳ３０５）。三次元表示制御部３１０は、検出された動作に応じて、高次脳機能検査プログラムに従い、映像部３２０の表示を変化させる（ステップＳ３０６）。視線検出部３４０により被験者の視線を検出する（ステップＳ３０７）。三次元表示制御部３１０は、検査結果および検出された視線の動作を記録部３００に記録させる（ステップＳ３０８）。
【００６９】
なお、本実施の形態においては、別の端末で、病状の回復度合いを記録部２００に記録させることとしているが、これに限定されず、三次元表示制御部３１０を用いて、医師が記録部２００に記録させてもよい。
【００７０】
以上のように、本実施の形態にかかる高次脳機能検査の三次元表示装置１００，１００ａにおいては、高次脳機能障害者向けリハビリテーションとして効果が限定的であった平面上で実施される脳機能検査及び訓練を、立体または空間上で行うことで、適切かつ効果的なリハビリテーションを実現させることができる。
【００７１】
また、三次元表示装置１００により、複合現実（Ｍｉｘｅｄ  Ｒｅａｌｉｔｙ，  ＭＲ）空間または仮想現実（Ｖｉｒｔｕａｌ  Ｒｅａｌｉｔｙ，  ＶＲ）でのリハビリテーションの実施を行うことができる。
また、本実施の形態にかかる三次元表示装置１００により、従来アナログ的に実施してきた高次脳機能検査または訓練は、被験者自身をより効果的な検査に導き、なおかつデータを蓄積することで被験者毎の解決策の糸口を探ることができるというメリットを得ることができる。
【００７２】
その結果、脳卒中や交通事故等を原因として高次脳機能障害を負った患者あるいは認知症患者、または高次脳機能検査を長期間に渡り複数回実施する被験者、の脳機能向上の訓練および空間認知機能の治療を実施することができる。
【００７３】
また、記録部２００に高次脳機能検査の結果を記録することにより、同様の症状の患者の中で、改善または回復症状が大きく見られた高次脳機能検査を実施することで、被験者の回復を期待することができる。
また、被験者の個々の高次脳機能検査の結果を記録することにより、被験者毎の定性分析を行うことが可能となり、従来一部の医師等にノウハウとして蓄積されていたリハビリテーションにおける急性期、回復期、維持期と呼ばれる各ステージに於いて適切なリハビリを自動的に選定することができる。
【００７４】
また、三次元表示装置１００を用いることで、二次元では限定的だった臨場感や没入感が発揮され、被験者の回復度合いに高い効果を期待することができる。
また、紙媒体等の高次脳機能検査において生じていた、紙と鉛筆とを用いて机の上で実施するため、「勉強」というニュアンスが強くなり、当該行為に慣れていない人々にとっては苦痛感が増し、集中力が途切れてしまうという問題も三次元表示装置１００を用いることで、解消することができる。
【００７５】
また、高次脳機能検査の結果を自動的に記録するので、自動採点を行うことができ、医療従事者または医師の作業を低減することができるとともに、高次脳機能検査の精度向上を見込むことができる。
【００７６】
さらに、視線履歴２４０を記録部２００に記録することで、被験者の向いた目線が履歴として残され、検査上または訓練上の課題を発見することができる。
また、高次脳機能検査プログラムにより、検査を変化させることができる。従来の紙媒体を利用した高次脳機能検査であれば同じ配列の検査を繰り返す場合が多く、複数回実施するうちに患者が配列を記憶してしまい、検査としての意味合いが薄れてしまう問題点があったが、三次元表示装置１００を用いることで、当該問題点を解消することができる。
【００７７】
以上のように、制御部５００により被験者履歴２１０およびＴＭＴ履歴および／またはＢＩＴ履歴２３０に基づいて、高次脳機能検査プログラム情報が選定される。すなわち、被験者の病状に最適な高次脳機能検査プログラム情報を選定することができる。
また、ＴＭＴ履歴および／またはＢＩＴ履歴２３０に基づく場合には、他の被験者のＴＭＴ履歴および／またはＢＩＴ履歴２３０を用いることができるので、制御部５００は、多くの他の被験者のうち、リハビリテーションにより病状が回復した高次脳機能検査プログラム情報を選定させることができる。したがって、被験者にとってより良い高次脳機能検査プログラム情報を三次元表示部に表示させることができる。
さらに、三次元表示部３００に表示させることで、二次元の紙媒体の場合と比較して、空間認識能力を高めることができる。
また、紙媒体の場合には、反復検査において、被験者の学習効果が表れるため、本来の検査結果を得ることができないという問題が生じる。
また、三次元表示部３００に表示させることで、机上の状態と異なり、身体活動を伴う日常生活場面における能力を正確に試験結果に反映することができる。
【００７８】
さらに、三次元表示制御部３１０は、三次元表示部３００の映像部３２０に表示を行った後、高次脳機能検査の結果を記録部２００に記録することができる。その結果、記録部２００の情報をフィードバック処理することができ、被験者の状態に応じて、リハビリテーションにより病状がより回復した高次脳機能検査プログラム情報を選定させることができる。
また、三次元表示制御部３１０は、自動的に高次脳機能検査の内容を改変するため、被験者が同じ試験を実施しないため、的確な検査結果を得ることができる。
【００７９】
また、制御部５００は、視線履歴２４０を記録部２００に記録させる。その結果、被験者の高次脳機能検査における視線の履歴を確認することができる。
具体的に、高次脳機能検査においては、視野角１８０度のうち、右半分または左半分、上半分または下半分等の特定の範囲のみ認識する場合がある。その場合において、視線の履歴を残すことで被験者の状態を認識することができる。
さらに、制御部５００は、視線履歴２４０を含めた高次脳機能検査プログラム情報を選定することができるので、被験者の病状が、さらに回復することを望むことができる。
【００８０】
報知部４００により選定された高次脳機能検査プログラム情報および被験者履歴２１０およびＴＭＴ履歴および／またはＢＩＴ履歴２３０が表示されるので、医者または医療従事者が、被験者の検査内容、検査結果、検査状況を確認することができる。
【００８１】
高次脳機能検査プログラム情報は、ＴＭＴのプログラム情報、および／または、ＢＩＴのプログラム情報を含むので、多種のＴＭＴのプログラム情報、および／または、多種のＢＩＴのプログラム情報を有するとともに、確実に高次脳機能検査の検査を実施することができる。
【００８２】
さらに、医者または医療従事者が、動画情報を確認し、被験者の検査状況、回復状況等を容易に確認することができる。また、ＡＩ技術を用いて、動画情報が類似している過去に病状が回復した被験者の動画情報と比較することもできる。
【００８３】
さらに、医者または医療従事者が、動画情報を確認し、被験者の検査状況、回復状況等を容易に確認することができる。特に被験者の試験結果を的確に計算するので、医療従事者の手間を省くことができる。また、誤回答情報も有するので、医者または医療従事者が的確に被験者の状況を確認することができる。
【００８４】
さらに、被験者履歴２１０は、ＣＴスキャンデータまたは／およびＭＲＩデータ２２０を含むので、ＣＴスキャンデータまたは／およびＭＲＩデータ２２０に応じた高次脳機能検査を実施することができる。
【００８５】
さらに、記録部２００がクラウドサーバからなる場合には、高次脳機能検査を広範囲にわたって実施することができる。特に、国内に限らず、世界中の高次脳機能検査の結果を集めて記録することができる。
また、ハードディスクドライブ記録媒体からなる場合には、院内におけるデータを容易に探すことができる。
【００８６】
さらに、三次元表示装置１００は、ヘッドマウントディスプレイ表示装置からなるので、被験者は、容易に三次元表示に没頭することができる。その結果、的確な高次脳機能検査を実施することができる。
【００８７】
本発明においては、被験者履歴２１０が、「被験者のカルテ履歴情報」に相当し、ＴＭＴ履歴および／またはＢＩＴ履歴２３０が、「高次脳機能検査の検査履歴情報」に相当し、高次脳機能検査プログラムが、「高次脳機能検査プログラム情報、ＴＭＴのプログラム情報、ＢＩＴのプログラム情報」に相当し、記録部２００が、「記録部、クラウドサーバ、ハードディスクドライブ記録媒体」に相当し、三次元表示部３００が「三次元表示部、ヘッドマウントディスプレイ表示装置」に相当し、三次元表示制御部３１０が「三次元表示部の表示を制御する制御部」に相当し、高次脳機能検査用の三次元表示装置１００，１００ａが、「高次脳機能検査用の三次元表示装置」に相当し、制御部５００，三次元表示制御部３１０が「制御部」に相当し、視線履歴２４０が「視線履歴情報」に相当し、報知部４００が「報知部」に相当し、ＣＴスキャンデータまたは／およびＭＲＩデータ２２０が「ＭＲＩ検査結果、ＣＴ検査結果」に相当する。
【００８８】
なお、本実施の形態において、検査と表記しているが、当該検査には、訓練または療法、治療、等を含む意図である。
【００８９】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００９０】
１００，１００ａ  高次脳機能検査用の三次元表示装置
２００  記録部
２１０  被験者履歴
２２０  ＣＴスキャンデータまたは／およびＭＲＩデータ
２３０  ＴＭＴ履歴および／またはＢＩＴ履歴
２４０  視線履歴
３００  三次元表示部
３１０  三次元表示制御部
４００  報知部
５００  制御部
【図１】
2019010441.tif 000003
【図２】
2019010441.tif 000004
【図３】
2019010441.tif 000005
【図４】
2019010441.tif 000006
【図５】
2019010441.tif 000007
【図６】
2019010441.tif 000008
【図７】
2019010441.tif 000009
【図８】
2019010441.tif 000010